(57)【要約】【課題】この発明は、デジタル補正データの変更を入力信号レベル対照度特性に対応した曲線に基づいて行えるようになり、デジタル補正データの変更が容易となるガンマ補正データ書き換え装置を提供することを目的とする。【解決手段】表示装置から取得した工場出荷ガンマ補正データとユーザガンマ補正データとに基づいて、工場出荷ガンマ補正データに対する入力信号レベル対照度特性をＹ＝Ｘの直線で表した場合の、ユーザガンマ補正データに対する入力信号レベル対照度特性を表すガンマ補正データ調整用曲線を含むガンマ補正データ調整画面を表示する手段、ガンマ補正データ調整画面上で、ユーザにガンマ補正データ調整用曲線を変更させるための手段、ならびに変更後のガンマ補正データ調整用曲線からそのガンマ補正データ調整用曲線に対応した新規なガンマ補正データを生成する手段を備えている。【選択図】  図４
2004151331.tif 000002
【特許請求の範囲】
【請求項１】
工場出荷時に設定された工場出荷ガンマ補正データを記憶する第１の記憶手段と、ユーザによって設定されるユーザガンマ補正データを記憶する書き換え可能な第２の記憶手段とが設けられている表示装置のガンマ補正データを書き換えるためのガンマ補正データ書き換え装置であって、
書き換え時に、表示装置の第１の記憶手段に格納されている工場出荷ガンマ補正データと、表示装置の第２の記憶手段に格納されているユーザガンマ補正データとを表示装置から取得する手段、
取得した工場出荷ガンマ補正データとユーザガンマ補正データとに基づいて、工場出荷ガンマ補正データに対する入力信号レベル対照度特性をＹ＝Ｘの直線で表した場合の、ユーザガンマ補正データに対する入力信号レベル対照度特性を表すガンマ補正データ調整用曲線を含むガンマ補正データ調整画面を表示する手段、
ガンマ補正データ調整画面上で、ユーザにガンマ補正データ調整用曲線を変更させるための手段、ならびに
変更後のガンマ補正データ調整用曲線からそのガンマ補正データ調整用曲線に対応した新規なガンマ補正データを生成する手段、
を備えていることを特徴とするガンマ補正データ書き換え装置。
【請求項２】
生成した新規なガンマ補正データを表示装置の第２の記憶手段に書き込むための書き込みコマンドと、新規なガンマ補正データとを表示装置に送信する手段を備えていることを特徴とする請求項１に記載のガンマ補正データ書き換え装置。
【発明の詳細な説明】
【０００１】
【発明の属する技術分野】
この発明は、液晶プロジェクタ等の表示装置に記憶されているガンマ補正データを書き換えるためのガンマ補正データ書き換え装置に関する。
【０００２】
【従来の技術】
図１は、デジタルガンマ補正回路を備えた従来の液晶プロジェクタの構成を示している。
【０００３】
液晶プロジェクタ１００には、ビデオ信号（ＡＶ信号）またはコンピュータ信号（ＣＧ信号）が入力され、入力切替回路１によってＡＶ信号、ＣＧ信号のうちのいずれかが選択されて、Ａ／Ｄコンバータ２に送られる。なお、ＡＶ信号を入力する場合のモードをビデオモードといい、ＣＧ信号を入力する場合のモードをコンピュータモードということにする。
【０００４】
Ａ／Ｄコンバータ２に入力されたＲＧＢ信号は、Ａ／Ｄコンバータ２によってデジタル信号に変換された後、走査変換回路３に送られる。走査変換回路３では、周波数変換などのデジタル処理が行われる。走査変換回路３の出力信号は、デジタルガンマ補正回路４によってガンマ補正が施される。デジタルガンマ補正回路４の出力信号は、１２相展開回路５に送られる。１２相展開回路５に入力された信号は時分割されて液晶パネル８に書き込まれ、書き込まれた信号はスクリーンに投影される。
【０００５】
液晶プロジェクタ内の各部は、ＣＰＵ７によって制御される。ＣＰＵ７は、そのプログラム等を記憶するＲＯＭ（図示略）、必要なデータを記憶するＲＡＭ（図示略）およびフラッシュメモリ１０を備えている。
【０００６】
また、Ａ／Ｄコンバータ２に対するクロック、１２相展開回路５に対するサンプリングクロックおよび液晶パネル８を駆動するためのパネル駆動パルスは、タイミングジェネレータ６によって生成される。
【０００７】
デジタルガンマ補正回路４の特性は、フラッシュメモリ１０内の工場出荷ガンマ補正データ格納領域１１に格納されている。なお、工場出荷ガンマ補正データ格納領域１１は、さらに、ビデオモード用領域１１ａとコンピュータモード用領域１１ｂとに分けられている。工場出荷ガンマ補正データ格納領域１１内のビデオモード用領域１１ａには、ビデオ用の工場出荷時のガンマ補正データが格納され、コンピュータモード用領域１１ｂにはコンピュータ用の工場出荷時のガンマ補正データが格納されている。
【０００８】
工場出荷ガンマ補正データ格納領域１１に格納されているガンマ補正データは、ガンマ補正データ書き換え用ＰＣ２０等によって、シリアルデータ通信により、ＲＳ２３２Ｃ回路１３とＣＰＵ７を介して書き換えることが可能となっている。また、ガンマ補正データ書き換え用ＰＣ２０は、シリアルデータ通信により、工場出荷ガンマ補正データ格納領域１１に格納されているガンマ補正データを読み出すことも可能となっている。
【０００９】
図２は、デジタルガンマ補正回路４の入出力特性の一例を示している。
【００１０】
この例では、ランプ波形を入力した場合のデジタルガンマ補正回路４の入出力特性の一例を示している。ガンマ補正データは、ＬＣＤパネル８の電圧対透過率特性に応じて決定されている。フラッシュメモリ１０内のガンマ補正データは、ＣＰＵ７からデジタルガンマ補正回路４に与えられる。
【００１１】
ガンマ補正が行われることにより、ＬＣＤプロジェクタの入力信号レベル対照度特性は、図３中の曲線Ａに示すようになり、黒つぶれ、白サチリがなく視覚的に明るさがほぼリニアに変化している映像が得られる。
【００１２】
なお、図３中のＡは、黒から白まで照度がほぼリニアな変化をしている標準的な特性を示しており、図３中のＢは中間調が暗めに見える特性を示している。
【００１３】
ところで、ユーザの映像に対する好みなどによって、入力信号レベル対照度特性を図３のＡからＢに変化させたい場合には、従来は次のようにしてガンマ補正データを書き換えている。
【００１４】
つまり、ガンマ補正データ書き換え用ＰＣ２０等を液晶プロジェクタにシリアルケーブルを介して接続し、フラッシュメモリ１０内の工場出荷デジタルガンマ補正領域１１に記憶されているガンマ補正データをＣＰＵ７を介してガンマ補正データ書き換え用ＰＣ２０に取り込む。ガンマ補正データ書き換え用ＰＣ２０にに取り込まれたガンマ補正データに基づいて、ユーザがガンマ補正データ書き換え用ＰＣ２０を操作して、ガンマ補正データを変更する。そして、変更後の新規なガンマ補正データをガンマ補正データ書き換え用ＰＣ２０から液晶プロジェクタに送信する。液晶プロジェクタ内のＣＰＵ７は、フラッシュメモリ１０内の工場出荷デジタルガンマ補正領域１１内のデータを、ガンマ補正データ書き換え用ＰＣ２０から送られてきた新規なガンマ補正データに書き換える。
【００１５】
従来のガンマ補正データ書き換え用ＰＣ２０では、液晶プロジェクタから取得したガンマ補正データを、例えば、図２に示すように、グラフ化して表示し、ユーザはこの表示に基づいてガンマ補正データを変更している。このガンマ補正データは、図３に示す入力信号レベル対照度特性とは異なり、ＬＣＤパネル８の電圧対透過率特性を補正して、入力信号レベルの変化に対して視覚的にリニアな階調表現を実現するために設定されており、複雑な曲線となっている。このため、ユーザにとっては馴染みが無く、その調整（変更）もユーザにとっては難しいものとなっている。
【００１６】
【発明が解決しようとする課題】
この発明は、デジタル補正データを変更して入力信号レベル対照度特性を変更しようとする際に、デジタル補正データの変更を入力信号レベル対照度特性に対応した曲線に基づいて行えるようになり、デジタル補正データの変更が容易となるガンマ補正データ書き換え装置を提供することを目的とする。
【００１７】
【課題を解決するための手段】
請求項１に記載の発明は、工場出荷時に設定された工場出荷ガンマ補正データを記憶する第１の記憶手段と、ユーザによって設定されるユーザガンマ補正データを記憶する書き換え可能な第２の記憶手段とが設けられている表示装置のガンマ補正データを書き換えるためのガンマ補正データ書き換え装置であって、書き換え時に、表示装置の第１の記憶手段に格納されている工場出荷ガンマ補正データと、表示装置の第２の記憶手段に格納されているユーザガンマ補正データとを表示装置から取得する手段、取得した工場出荷ガンマ補正データとユーザガンマ補正データとに基づいて、工場出荷ガンマ補正データに対する入力信号レベル対照度特性をＹ＝Ｘの直線で表した場合の、ユーザガンマ補正データに対する入力信号レベル対照度特性を表すガンマ補正データ調整用曲線を含むガンマ補正データ調整画面を表示する手段、ガンマ補正データ調整画面上で、ユーザにガンマ補正データ調整用曲線を変更させるための手段、ならびに変更後のガンマ補正データ調整用曲線からそのガンマ補正データ調整用曲線に対応した新規なガンマ補正データを生成する手段を備えていることを特徴とする。
請求項２に記載の発明は、請求項１に記載のガンマ補正データ書き換え装置において、生成した新規なガンマ補正データを表示装置の第２の記憶手段に書き込むための書き込みコマンドと、新規なガンマ補正データとを表示装置に送信する手段を備えていることを特徴とする。
【００１８】
【発明の実施の形態】
以下、図４〜図９を参照して、この発明の実施の形態について説明する。
【００１９】
図４は、液晶プロジェクタ１００の構成およびガンマ補正データ書き換え用ＰＣ２０を示している。図４において、図１と同じものには、同じ符号を付してその説明を省略する。
【００２０】
この液晶プロジェクタ１００と図１の液晶プロジェクタ（従来回路）とを比較すると、フラッシュメモリ１０内に、工場出荷ガンマ補正データ格納領域１１の他、ユーザガンマ補正データ格納領域１２が設けられている点が異なっている。
【００２１】
工場出荷ガンマ補正データ格納領域１１は、さらに、ビデオモード用領域１１ａとコンピュータモード用領域１１ｂとに分けられている。工場出荷ガンマ補正データ格納領域１１内のビデオモード用領域１１ａにはビデオ用の工場出荷時のガンマ補正データが格納され、コンピュータモード用領域１１ｂにはコンピュータ用の工場出荷時のガンマ補正データが格納されている。
【００２２】
同様に、ユーザガンマ補正データ格納領域１２は、さらに、ビデオモード用領域１２ａとコンピュータモード用領域１２ｂとに分けられている。ユーザガンマ補正データ格納領域１２内のビデオモード用領域１２ａには、デフォルトでは、ビデオ用の工場出荷時のガンマ補正データが格納され、コンピュータモード用領域１２ｂには、デフォルトでは、コンピュータ用の工場出荷時のガンマ補正データが格納されている。
【００２３】
ユーザガンマ補正データ格納領域１２内の各領域１２ａ、１２ｂ内のガンマ補正データは、ガンマ補正データ書き換え用ＰＣ２０によって、シリアルデータ通信により、ＲＳ２３２Ｃ回路１３とＣＰＵ７を介して書き換えることが可能となっている。一方、工場出荷ガンマ補正データ格納領域１１内の各領域１１ａ、１１ｂに格納されている工場出荷時のガンマ補正データは、後述するように、ガンマ補正データ書き換え用ＰＣ２０によって、書き換えができないようになっている。
【００２４】
また、ガンマ補正データ書き換え用ＰＣ２０は、シリアルデータ通信により、工場出荷ガンマ補正データ格納領域１１およびユーザガンマ補正データ格納領域１２に格納されているガンマ補正データを読み出すことも可能となっている。
【００２５】
ＣＰＵ７は、液晶プロジェクタ１００がオンされたとき（スタンバイ状態から図示しない投影用ランプがオンされたされたとき）または、投影用ランプがオンされている状態において入力モード（ビデオモードまたはコンピュータモード）が切り替えられた直後に、ユーザガンマ補正データ格納領域１２内の各領域１２ａ、１２ｂに格納されているガンマ補正データのうち、現在設定されている入力モードに応じたガンマ補正データを読み出して、デジタルガンマ補正回路４に設定する。
【００２６】
ガンマ補正データ書き換え用ＰＣ２０には、ガンマ補正調整用ソフトウエアが搭載されている。ガンマ補正調整用ソフトウエアは、工場出荷ガンマ補正データ格納領域１１およびユーザガンマ補正データ格納領域１２からガンマ補正データをＣＰＵ７に読み出させるための機能、新規のガンマ補正データを作成するための機能、作成された新規のガンマ補正データをＣＰＵ７に送ってＣＰＵ７にユーザガンマ補正データ格納領域１２に書き込ませるための機能、ＣＰＵ７にユーザガンマ補正データ格納領域１２内のユーザガンマ補正データを工場出荷時のガンマ補正データに戻させるための機能を備えている。
【００２７】
ガンマ補正データ書き換え用ＰＣ２０に基づくガンマ補正データの読み出し、書き込み等は、ガンマ補正調整用ソフトウエアによって発生せしめられるコマンドによって行われるが、ガンマ補正調整用ソフトウエアは工場出荷ガンマ補正データ格納領域１１に対するガンマ補正データの書き込みコマンドを発生しないようになっている。
【００２８】
図５は、ガンマ補正データ書き換え用ＰＣ２０によってガンマ補正データを書き換える際の処理手順を示している。
【００２９】
まず、ユーザは、ガンマ補正データ書き換え用ＰＣ２０（以下、ＰＣという）をシリアルケーブルによって液晶プロジェクタ１００と接続する。そして、ガンマ補正調整ソフトウエアを立ち上げる。
【００３０】
ＰＣ２０は、ユーザによるガンマ補正データ書き換え開始操作に基づいて、機種名および入力モードを読み出すための読み出しコマンドを送信する（ステップ１）。
【００３１】
液晶プロジェクタ内のＣＰＵ７は、ＰＣ２０からの機種名・入力モードの読み出しコマンドを受信すると（ステップ３１）、機種名および現在の入力モードをＰＣ２０に返信する（ステップ３２）。
【００３２】
ＰＣ２０は、ＣＰＵ７からの機種名および入力モードを受信すると（ステップ２）、受信した機種名および入力モードをメモリに記憶する（ステップ３）。そして、ＰＣ２０は、工場出荷ガンマ補正データ格納領域１１からの工場出荷ガンマ補正データの読み出しコマンドを送信する（ステップ４）。
【００３３】
ＣＰＵ７は、ＰＣ２０からの上記ガンマ補正データの読み出しコマンドを受信すると（ステップ３３）、フラッシュメモリ１０内の工場出荷ガンマ補正データ格納領域１１内の各領域１１ａ、１１ｂに格納されているガンマ補正データのうち、現在の入力モードに対応したガンマ補正データを図示しないＲＡＭに一旦取込んだ後、ＰＣ２０に送信する（ステップ３４）。
【００３４】
ＰＣ２０は、ＣＰＵ７からの工場出荷ガンマ補正データを受信すると（ステップ５）、受信した工場出荷ガンマ補正データをメモリに記憶する（ステップ６）。そして、ＰＣ２０は、ユーザガンマ補正データ格納領域１２からのユーザガンマ補正データの読み出しコマンドを送信する（ステップ７）。
【００３５】
ＣＰＵ７は、ＰＣ２０からの上記ガンマ補正データの読み出しコマンドを受信すると（ステップ３５）、フラッシュメモリ１０内のユーザガンマ補正データ格納領域１２内の各領域１２ａ、１２ｂに格納されているガンマ補正データのうち、現在の入力モードに対応したガンマ補正データを図示しないＲＡＭに一旦取込んだ後、ＰＣ２０に送信する（ステップ３６）。
【００３６】
ＰＣ２０は、ＣＰＵ７からのユーザガンマ補正データを受信すると（ステップ８）、受信したユーザガンマ補正データをメモリに記憶する（ステップ９）。
【００３７】
ＰＣ２０は、液晶プロジェクタ１００から得た工場出荷ガンマ補正データとユーザガンマ補正データとに基づいて、工場出荷ガンマ補正データに対する入力信号レベル対照度特性をＹ＝Ｘの直線Ｓｏで表した場合の、ユーザガンマ補正データに対する入力信号レベル対照度特性を表す曲線（ガンマ補正データ調整用曲線Ｓという）を含むガンマ補正データ調整画面を表示する。
【００３８】
すなわち、工場出荷ガンマ補正データとユーザガンマ補正データとが同じである場合には、工場出荷ガンマ補正データに対する入力信号レベル対照度特性をＹ＝Ｘの直線Ｓｏで表した場合の、ユーザガンマ補正データに対する入力信号レベル対照度特性ＳはＹ＝Ｘとなるので、図６に示すように、Ｙ＝Ｘの直線Ｓｏからなるガンマ補正データ調整用曲線Ｓを含むガンマ補正データ調整画面を表示する。
【００３９】
工場出荷ガンマ補正データとユーザガンマ補正データとが異なっている場合には、図７に示すようなガンマ補正データ調整用曲線Ｓを含むガンマ補正データ調整画面を表示する。
【００４０】
図７における、ガンマ補正データ調整用曲線Ｓは、次のようにして生成される。つまり、図８に示すように、液晶プロジェクタ１００から得た工場出荷ガンマ補正データをＡとし、液晶プロジェクタ１００から得たユーザガンマ補正データをＢとする。なお、この例では、工場出荷ガンマ補正データＡに対する入力信号レベル対照度特性は図３のＡに対応し、ユーザガンマ補正データＢに対する入力信号レベル対照度特性は図３のＢに対応している。
【００４１】
工場出荷ガンマ補正データＡ上の予め定められた各補正点毎に、その補正点ｘでの工場出荷ガンマ補正データＡ（ｘ）とユーザガンマ補正データＢ（ｘ）とのＹ方向差分値Δｙ（＝Ｂ（ｘ）−Ａ（ｘ））を求め、得られた差分値Δｙをその補正点での工場出荷ガンマ補正データＡの傾きｄｙ／ｄｘで除することによりΔＤを得る。各補正点ｘにおいて、Ｙ＝Ｘの直線Ｓｏ上の点のデータＳｏ（ｘ）にΔＤを加算することによりその補正点ｘで曲線Ｓ上のデータＳ（ｘ）を求め、各補正点において得られた曲線Ｓ上のデータＳ（ｘ）に基づいて、図７に示すようなガンマ補正データ調整用曲線Ｓを生成する。
【００４２】
Ｙ＝Ｘの直線Ｓｏ上の補正点ｘでのデータをＳｏ（ｘ）とし、曲線Ｓ上の補正点ｘでのデータをＳ（ｘ）とすると、Ｓ（ｘ）は次式（１）に基づいて算出される。
【００４３】
2004151331.tif 000003
【００４４】
ユーザは、新規なユーザガンマ補正データを作成するために、ガンマ補正データ調整画面上で、ガンマ補正データ調整用曲線上の補正点のデータを変更する。ＰＣ２０は、ユーザによるガンマ補正データ調整用曲線上の補正点データの変更操作に基づいて、ガンマ補正データ調整用曲線を変更する（ステップ１１）。
【００４５】
そして、変更後のガンマ補正データ調整用曲線に基づいて、そのガンマ補正データ調整用曲線に対応した新規のユーザガンマ補正データを生成する（ステップ１２）。説明の便宜上、変更後のガンマ補正データ調整用曲線が、図７に示すような曲線Ｓであったと仮定する。この場合、新規のユーザガンマ補正データは図８の曲線Ｂとなる。
【００４６】
図７に示すような調整後のガンマ補正データ調整用曲線Ｓから、図８の曲線Ｂで表されるユーザガンマ補正データＢを生成するには、次式（２）の変換式が用いられる。
【００４７】
Ｂ（ｘ）＝Ａ（ｘ）＋ΔＤ×（ｄｙ／ｄｘ）      …（２）
【００４８】
ただし、Ｂ（ｘ）は、補正点ｘでの新規なユーザガンマ補正データであり、Ａ（ｘ）は補正点ｘでの工場出荷ガンマ補正データである。また、ｄｙ／ｄｘは、補正点ｘでの工場出荷ガンマ補正データＡの傾きである。
【００４９】
ＰＣ２０は新規なユーザガンマ補正データを生成した後に、ユーザ操作によって新規なユーザガンマ補正データの送信指令が入力されると（ステップ１３）、機種名および入力モードを読み出すための読み出しコマンドを送信する（ステップ１４）。
【００５０】
液晶プロジェクタ内のＣＰＵ７は、ＰＣ２０からの機種名・入力モードの読み出しコマンドを受信すると（ステップ３７）、機種名および現在の入力モードをＰＣ２０に返信する（ステップ３８）。
【００５１】
ＰＣ２０は、ＣＰＵ７からの機種名および入力モードを受信すると（ステップ１５）、受信した機種名および入力モードが上記ステップ３によって既にメモリに記憶されている機種名および入力モードと一致するか否かを判別する（ステップ１６）。
【００５２】
受信した機種名および入力モードが上記ステップ２によって既にメモリに記憶されている機種名および入力モードと一致する場合には、ＰＣ２０は、ユーザガンマ補正データ格納領域１２に対する書き込みコマンドとともに新規なユーザガンマ補正データをＣＰＵ７に送信する（ステップ２１）。そして、今回の書き換え処理を終了する。
【００５３】
受信した機種名および入力モードが上記ステップ２によって既にメモリに記憶されている機種名および入力モードと一致しない場合には、ＰＣ２０は、「機種名および入力モードが違います」といった警告表示を行うとともに（ステップ１７）、「データを送信しますか」の送信確認画面を表示する（ステップ１８）。この送信確認画面に対してＹＥＳ（送信する）の入力があったときには（ステップ１９）、ステップ２１に移行して、上述した書き込みコマンドとともに新規なユーザガンマ補正データをＣＰＵ７に送信する。そして、今回の書き換え処理を終了する。
【００５４】
送信確認画面に対してＮＯ（送信しない）の入力があったときには（ステップ２０）、書き込みコマンドおよび新規なユーザガンマ補正データを送信することなく、今回の書き換え処理を終了する。
【００５５】
ＣＰＵ７は、ＰＣ２０からのユーザガンマ補正データ格納領域１２に対する書き込みコマンドおよび新規なユーザガンマ補正データを受信した場合には（ステップ３９）、受信した新規なユーザガンマ補正データをＲＡＭ（図示略）に一旦格納した後、フラッシュメモリ１０内のユーザガンマ補正データ格納領域１２内の各領域１２ａ、１２ｂのうち、現在の入力モードに対応する領域に、その新規なユーザガンマ補正データを上書きする（ステップ４０）。また、デジタルガンマ補正回路４に、当該新規にユーザガンマ補正データを設定する（ステップ４１）。
【００５６】
図９は、ガンマ補正データ書き換え用ＰＣ２０によってユーザガンマ補正データ格納エリア１２内のガンマ補正データを工場出荷時のガンマ補正データに戻す際の処理手順を示している。
【００５７】
ＰＣ２０は、ユーザガンマ補正データ格納エリア１２内のガンマ補正データを工場出荷時のガンマ補正データに戻すためのユーザ操作に基づいて、工場出荷時データに戻すためのコマンドを液晶プロジェクタのＣＰＵ７に送信する（ステップ１０１）。
【００５８】
液晶プロジェクタのＣＰＵ７は、ＰＣ２０からの工場出荷時データに戻すためのコマンドを受信すると（ステップ１１１）、受信した工場出荷時データに戻すためのコマンドを返信する（ステップ１１２）。
【００５９】
また、ＣＰＵ７は、フラッシュメモリ１０内の工場出荷ガンマ補正データ格納領域１１内の各領域１１ａ、１１ｂのうち、現在の入力モードに対応する領域から、工場出荷ガンマ補正データをＲＡＭ（図示しない）に読み込み、ユーザガンマ補正データ格納領域１２内の各領域１２ａ、１２ｂのうち、現在の入力モードに対応する領域に、読み込んだ工場出荷ガンマ補正データを上書きする（ステップ１１３）。さらに、ＣＰＵ７は、デジタルガンマ補正回路４に、読み込んだ工場出荷ガンマ補正データを設定する（ステップ１１４）。
【００６０】
ＰＣ２０は、ＣＰＵ７からの工場出荷時データに戻すためのコマンドを受信すると（ステップ１０２）、工場出荷時データに戻すための処理を終了する。
【００６１】
上記実施の形態では、工場出荷時データに戻すためのコマンドをガンマ補正データ調整用ＰＣ等のＰＣから液晶プロジェクタに入力しているが、工場出荷時データに戻すためのコマンドを、液晶プロジェクタが提示するユーザコントロールメニューからの選択操作によって入力するようにしてもよい。
【００６２】
【発明の効果】
この発明によれば、デジタル補正データを変更して入力信号レベル対照度特性を変更しようとする際に、デジタル補正データの変更を入力信号レベル対照度特性に対応した曲線に基づいて行えるようになり、デジタル補正データの変更が容易となる。
【図面の簡単な説明】
【図１】デジタルガンマ補正回路を備えた従来の液晶プロジェクタの構成を示すブロック図である。
【図２】デジタルガンマ補正回路の特性を示す模式図である。
【図３】液晶プロジェクタの入力信号レベル対照度特性を示すグラフである。
【図４】液晶プロジェクタの構成およびガンマ補正データ書き換え用ＰＣを示すブロック図である。
【図５】ガンマ補正データ書き換え用ＰＣ２０によってガンマ補正データを書き換える際の処理手順を示すフローチャートである。
【図６】ガンマ補正データ調整画面の一例を示す模式図である。
【図７】ガンマ補正データ調整画面の他の例を示す模式図である。
【図８】液晶プロジェクタから得た工場出荷ガンマ補正データＡと、液晶プロジェクタから得たユーザガンマ補正データＢとを表すグラフである。
【図９】ガンマ補正データ書き換え用ＰＣ２０によってユーザガンマ補正データ格納エリア１２内のガンマ補正データを工場出荷時のガンマ補正データに戻す際の処理手順を示すフローチャートである。
【符号の説明】
１  入力切り替え回路
２  Ａ／Ｄコンバータ
３  走査変換回路
４  デジタルガンマ補正回路
５  １２相展開回路
６  タイミングジェネレータ
７  ＣＰＵ
８  液晶パネル
１０  フラッシュメモリ
１３  ＲＳ２３２Ｃ回路
２０  ガンマ補正データ書き換え用ＰＣ
１００  液晶プロジェクタ
【図１】
2004151331.tif 000004
【図２】
2004151331.tif 000005
【図３】
2004151331.tif 000006
【図４】
2004151331.tif 000007
【図５】
2004151331.tif 000008
【図６】
2004151331.tif 000009
【図７】
2004151331.tif 000010
【図８】
2004151331.tif 000011
【図９】
2004151331.tif 000012